(57)【要約】マルチキャリア通信においてレピティション技術を用いる場合に、干渉抑圧シンボル合成を行うことを可能とすることができる基地局装置。この基地局（１００）において、レピティション部（１０３）は、変調部（１０２）から入力される各データシンボルを複製（レピティション）して複数の同一データシンボルを作成し、位相回転部（１０６）は、設定部（１０７）により設定された位相回転角度に従って、多重部（１０５）から入力されたパイロットシンボルおよびデータシンボルに対して位相回転を与える。このとき、位相回転部（１０６）は、同一のサブキャリアに割り当てられるパイロットシンボルとデータシンボルに対しては、同一の角度の位相回転を与える。また、位相回転部（１０６）は、複数の同一データシンボル間における位相回転差を、隣接セルにおいての同一シンボル間における位相回転差と異ならせる。【特許請求の範囲】
【請求項１】
複数のサブキャリアからなるマルチキャリア信号を無線通信移動局装置へ送信する無線通信基地局装置であって、
シンボルを複製して複数の同一シンボルを作成する複製手段と、
前記複数の同一シンボルに対し位相回転を与える位相回転手段と、
位相回転後の前記複数の同一シンボルが前記複数のサブキャリアのいずれかに割り当てられた前記マルチキャリア信号を送信する送信手段と、を具備し、
前記位相回転手段は、前記複数の同一シンボル間における位相回転差を、隣接セルまたは隣接セクタにおいての同一シンボル間における位相回転差と異ならせる、
無線通信基地局装置。
【請求項２】
前記位相回転手段は、隣接セル数または隣接セクタ数に応じた角度の位相回転を与える、
請求項１記載の無線通信基地局装置。
【請求項３】
前記位相回転手段は、ｎ×（３６０°／（隣接セル数＋１））の角度、または、ｎ×（３６０°／１セル内のセクタ数）の角度（但し、ｎは整数）の位相回転を与える、
請求項１記載の無線通信基地局装置。
【請求項４】
前記送信手段は、さらに、位相回転の角度を通知するための情報を前記無線通信移動局装置へ送信する、
請求項１記載の無線通信基地局装置。
【請求項５】
複数のセルまたは複数のセクタの各々において、マルチキャリア信号を構成する複数のサブキャリアに割り当てられる複数の同一シンボルに対し位相回転を与える際に、前記複数の同一シンボル間における位相回転差を、隣接セル間または隣接セクタ間において互いに異ならせる、
無線通信方法。
【請求項６】
前記複数の同一シンボルを、互いに隣接するサブキャリアに割り当てる、
請求項５記載の無線通信方法。
【発明の詳細な説明】
【技術分野】
【０００１】  本発明は、マルチキャリア通信における無線通信基地局装置および無線通信方法に関する。
【背景技術】
【０００２】  近年、無線通信、特に移動体通信では、音声以外に画像やデータなどの様々な情報が伝送の対象になっている。今後は、さらに高速な伝送に対する必要性がさらに高まるであろうと予想され、高速伝送を行うために、限られた周波数資源をより効率よく利用して、高い伝送効率を実現する無線伝送技術が求められている。【０００３】  このような要求に応え得る無線伝送技術の一つにＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。【０００４】  また、ＯＦＤＭでは、マルチパスに起因する周波数選択性フェージングにより、サブキャリア毎の品質が大きく変動することがある。このような場合、フェージングの谷となる位置のサブキャリアに割り当てられた信号は、品質が悪く復調が困難となるため、復調可能となるように品質を向上させる必要がある。【０００５】  ＯＦＤＭにおける品質を向上させるための技術として、レピティション技術と言われるものがある。レピティション技術とは、あるシンボルを複製（レピティション）して複数の同一シンボルを作成し、それら複数の同一シンボルを複数の異なるサブキャリアまたは異なる時刻に割り当てて送信する技術であり、受信側では、それらの同一シンボルを最大比合成することでダイバーシチ利得を得ることができる（例えば、非特許文献１参照）。
【非特許文献１】前田，新，岸山，佐和橋、“下りリンクブロードバンドチャネルにおけるＯＦＣＤＭとＯＦＤＭの特性比較”、電子情報通信学会、信学技報ＲＣＳ２００２−１６２、２００２年８月
【発明の開示】
【発明が解決しようとする課題】
【０００６】  ここで、セル境界付近に位置する無線通信移動局装置（以下、単に移動局という）では、隣接セルからの干渉（有色干渉）の影響が大きいため、無線通信基地局装置（以下、単に基地局という）においてレピティションされた複数の同一シンボルを最大比合成したとしても、所要品質に達しないことがある。【０００７】  そこで、このような干渉を効果的に抑圧するために、それら複数の同一シンボルに対してＭＭＳＥ（Ｍｉｎｉｍｕｍ  Ｍｅａｎ  Ｓｑｕａｒｅ  Ｅｒｒｏｒ）基準による干渉抑圧シンボル合成（以下、ＭＭＳＥ合成という）を行うことが考えられる。【０００８】  しかしながら、基地局において複数の同一シンボルを隣接する複数のサブキャリアに割り当てる場合、隣接サブキャリア間では回線変動の相関性が高いため、移動局では、隣接サブキャリア間において、希望波と干渉波の位相差がほぼ同じ角度となった受信を行うことになる。例えば、サブキャリアｆ１での希望波と干渉波の位相差θ１と、サブキャリアｆ２での希望波と干渉波の位相差θ２とがほぼ同じ角度になってしまうことがある。【０００９】  このようにサブキャリアｆ１での位相差θ１とサブキャリアｆ２での位相差θ２とがほぼ同じ角度になってしまう場合、移動局では、ＭＭＳＥ合成に用いるウェイトを算出するための行列、すなわち、受信シンボルの相互相関行列が逆行列を持たなくなってしまい、ウェイトを算出できず、よって、ＭＭＳＥ合成を行うことができなくなってしまう。【００１０】  本発明の目的は、マルチキャリア通信においてレピティション技術を用いる場合に、干渉抑圧シンボル合成を行うことを可能とする無線通信基地局装置および無線通信方法を提供することである。
【課題を解決するための手段】
【００１１】  本発明の基地局は、複数のサブキャリアからなるマルチキャリア信号を無線通信移動局装置へ送信する無線通信基地局装置であって、シンボルを複製して複数の同一シンボルを作成する複製手段と、前記複数の同一シンボルに対し位相回転を与える位相回転手段と、位相回転後の前記複数の同一シンボルが前記複数のサブキャリアのいずれかに割り当てられた前記マルチキャリア信号を送信する送信手段と、を具備し、前記位相回転手段は、前記複数の同一シンボル間における位相回転差を、隣接セルまたは隣接セクタにおいての同一シンボル間における位相回転差と異ならせる構成を採る。
【発明の効果】
【００１２】  本発明によれば、マルチキャリア通信においてレピティション技術を用いる場合に、移動局において干渉抑圧シンボル合成を行うことが可能になる。
【図面の簡単な説明】
【００１３】
【図１】本発明の実施の形態１に係る移動体通信システムの構成図
【図２】本発明の実施の形態１に係る基地局の構成を示すブロック図
【図３】本発明の実施の形態１に係る移動局の構成を示すブロック図
【図４】本発明の実施の形態１に係るセル配置の一例を示す図（２セルモデル）
【図５Ａ】本発明の実施の形態１に係る位相回転の説明図（基地局ＢＳＡ）
【図５Ｂ】本発明の実施の形態１に係る位相回転の説明図（基地局ＢＳＢ）
【図６】本発明の実施の形態１に係る受信シンボルを示す図（移動局ＭＳ）
【図７Ａ】本発明の実施の形態１に係る受信波、希望波、干渉波の関係を示す図
【図７Ｂ】本発明の実施の形態１に係る受信波、希望波、干渉波の関係を示す図
【図８】本発明の実施の形態１に係るセル配置の一例を示す図（３セルモデル）
【図９Ａ】本発明の実施の形態１に係る位相回転の説明図（基地局ＢＳＡ）
【図９Ｂ】本発明の実施の形態１に係る位相回転の説明図（基地局ＢＳＢ）
【図９Ｃ】本発明の実施の形態１に係る位相回転の説明図（基地局ＢＳＣ）
【図１０Ａ】本発明の実施の形態１に係る位相回転の説明図（基地局ＢＳＡ）
【図１０Ｂ】本発明の実施の形態１に係る位相回転の説明図（基地局ＢＳＢ）
【図１０Ｃ】本発明の実施の形態１に係る位相回転の説明図（基地局ＢＳＣ）
【図１１】本発明の実施の形態１に係る位相回転の説明図（時間軸配置）
【図１２】本発明の実施の形態１に係るセクタ配置の一例を示す図（３セクタモデル）
【図１３】本発明の実施の形態２に係る基地局の構成を示すブロック図
【図１４】本発明の実施の形態２に係る移動局の構成を示すブロック図
【図１５Ａ】本発明の実施の形態２に係る移動局の合成部の動作説明図
【図１５Ｂ】本発明の実施の形態２に係る移動局の合成部の動作説明図
【図１６Ａ】本発明の実施の形態２に係る移動局の合成部の動作説明図
【図１６Ｂ】本発明の実施の形態２に係る移動局の合成部の動作説明図
【図１６Ｃ】本発明の実施の形態２に係る移動局の合成部の動作説明図
【図１７Ａ】本発明の実施の形態２に係る移動局の合成部の動作説明図
【図１７Ｂ】本発明の実施の形態２に係る移動局の合成部の動作説明図
【発明を実施するための最良の形態】
【００１４】  以下、本発明の実施の形態について、図面を参照して詳細に説明する。【００１５】  （実施の形態１）
本実施の形態では、基地局は、レピティションにより作成した複数の同一シンボルに対し、隣接セルまたは隣接セクタにおいての同一シンボル間における位相回転差と異なる位相回転差による位相回転を施す。【００１６】  まず、図１に、本実施の形態に係る移動体通信システムの構成を示す。【００１７】  図１に示すように、無線ネットワーク制御局装置（以下、単に制御局という）ＲＮＣ（Ｒａｄｉｏ  Ｎｅｔｗｏｒｋ  Ｃｏｎｔｒｏｌｌｅｒ）は、セルＡの基地局ＢＳＡに対し制御データＡを送信するとともに、セルＡの隣接セルであるセルＢの基地局ＢＳＢに対し制御データＢを送信する。制御データＡには基地局ＢＳＡ固有の位相回転角度Ａが含まれ、制御データＢには基地局ＢＳＢ固有の位相回転角度Ｂが含まれる。また、位相回転角度Ａと位相回転角度Ｂとは互いに異なる。【００１８】  基地局ＢＳＡは、レピティションにより作成した複数の同一シンボルに対し、制御局ＲＮＣから指示された位相回転角度Ａに従って位相回転を与える。同様に、基地局ＢＳＢは、レピティションにより作成した複数の同一シンボルに対し、制御局ＲＮＣから指示された位相回転角度Ｂに従って位相回転を与える。基地局ＢＳＡと基地局ＢＳＢは、互いに異なる位相回転角度Ａ，Ｂにより位相回転を施すので、複数の同一シンボル間における位相回転差は、隣接セル間において互いに異なることになる。【００１９】  そして、基地局ＢＳＡは、位相回転を与えた送信データＡを基地局ＢＳＡのセルＡに位置する移動局ＭＳＡに送信し、基地局ＢＳＢは、位相回転を与えた送信データＢを基地局ＢＳＢのセルＢに位置する移動局ＭＳＢに送信する。セルＡとセルＢが隣接しており、移動局ＭＳＡがセルＡのセル境界付近に位置するとき、移動局ＭＳＡでは、希望波として送信データＡを受信するが、同時に、干渉波として送信データＢを受信してしまう。そこで移動局ＭＳＡは、これらのデータをＭＭＳＥ合成することで、基地局ＢＳＢからの干渉波を抑圧する。【００２０】  次いで、図２に、本実施の形態に係る基地局１００の構成を示す。本実施の形態では、図１に示す基地局ＢＳＡおよび基地局ＢＳＢは、共に図２に示す構成を採る。【００２１】  基地局１００において、符号化部１０１は、入力される送信データ（ビット列）に対して符号化処理を行い、変調部１０２は、符号化後の送信データに対してＱＰＳＫや１６ＱＡＭ等の変調方式で変調処理を行ってデータシンボルを生成する。【００２２】  レピティション部１０３は、変調部１０２から入力される各データシンボルを複製（レピティション）して複数の同一データシンボルを作成し、Ｓ／Ｐ部（シリアル／パラレル変換部）１０４に出力する。以下の説明では、この複数の同一データシンボルを一単位としてレピティション単位という。【００２３】  Ｓ／Ｐ部１０４は、レピティション部１０３から直列に入力されるデータシンボル列を並列に変換して多重部１０５に出力する。このシリアル／パラレル変換により、各データシンボルが、マルチキャリア信号を構成する複数のサブキャリアに割り当てられる。このとき、Ｓ／Ｐ部１０４は、複数の同一データシンボルを、互いに隣接するサブキャリアに割り当てる。【００２４】  多重部１０５は、Ｓ／��部１０４から所定数（例えば、１フレーム分）のデータシンボルが入力される度にパイロットシンボルを選択して出力し、データシンボルとパイロットシンボルとを時間多重する。【００２５】  位相回転部１０６は、設定部１０７により設定された位相回転角度に従って、多重部１０５から入力されたパイロットシンボルおよびデータシンボルに対して位相回転を与える。このとき、位相回転部１０６は、同一のサブキャリアに割り当てられるパイロットシンボルとデータシンボルに対しては、同一の角度の位相回転を与える。位相回転の詳細については後述する。位相回転後のシンボルはそれぞれＩＦＦＴ（Ｉｎｖｅｒｓｅ  Ｆａｓｔ  Ｆｏｕｒｉｅｒ  Ｔｒａｎｓｆｏｒｍ）部１０８に出力される。【００２６】  設定部１０７は、図１に示す制御局ＲＮＣから受信した制御データに含まれる各基地局毎の位相回転角度を取得し、この位相回転角度を位相回転部１０６に設定する。【００２７】  ＩＦＦＴ部１０８は、パイロットシンボルまたはデータシンボルが割り当てられた複数のサブキャリアに対してＩＦＦＴを行ってマルチキャリア信号であるＯＦＤＭシンボルを得る。【００２８】  ＧＩ付加部１０９は、ＯＦＤＭシンボルの後尾部分と同じ信号をＯＦＤＭシンボルの先頭に付加してＧＩ（Ｇｕａｒｄ  Ｉｎｔｅｒｖａｌ）を設ける。【００２９】  無線送信部１１０は、ＧＩ付加後のＯＦＤＭシンボルに対しＤ／Ａ変換、増幅およびアップコンバート等の送信処理を行ってアンテナ１１１から図１に示す移動局ＭＳへ送信する。【００３０】  次いで、図３に、本実施の形態に係る移動局２００の構成を示す。図１に示す移動局ＭＳは、図３に示す構成を採る。【００３１】  移動局２００において、アンテナ２０１を介して受信されたＯＦＤＭシンボルは、無線受信部２０２でダウンコンバート、Ａ／Ｄ変換等の受信処理が施された後、ＧＩ除去部２０３でＧＩを取り除かれて、ＦＦＴ（Ｆａｓｔ  Ｆｏｕｒｉｅｒ  Ｔｒａｎｓｆｏｒｍ）部２０４に入力される。【００３２】  ＦＦＴ部２０４は、ＯＦＤＭシンボルに対してＦＦＴを行って各サブキャリアに割り当てられているシンボルを取り出し、１ＯＦＤＭ分のシンボルを並列に分離部２０５に出力する。【００３３】  分離部２０５は、ＦＦＴ部２０４から入力されるシンボルを、パイロットシンボルとデータシンボルとに分け、データシンボルをＰ／Ｓ部（パラレル／シリアル変換部）２０６に出力し、パイロットシンボルをチャネル推定部２０７に出力する。【００３４】  Ｐ／Ｓ部２０６は、分離部２０５から並列に入力されるデータシンボル列を直列に変換してウェイト乗算部２０８に出力する。【００３５】  チャネル推定部２０７は、パイロットシンボルを用いて各サブキャリアのチャネル推定値（例えば、伝搬路変動レベル）を求め、パイロットシンボルと共にウェイト算出部２０９に出力する。【００３６】  ウェイト算出部２０９は、パイロットシンボルとチャネル推定値とからＭＭＳＥ基準の干渉抑圧用ウェイトを算出してウェイト乗算部２０８に出力する。【００３７】  ウェイト乗算部２０８は、データシンボルに干渉抑圧用ウェイトを乗算して合成部２１０に出力する。【００３８】  合成部２１０は、干渉抑圧用ウェイトを乗算されたデ���タシンボルを、レピティション単位、すなわち、基地局１００でのレピティションにより作成された同一データシンボル間で合成する。これによりＭＭＳＥ合成がなされる。【００３９】  ＭＭＳＥ合成後のシンボルは、復調部２１１で復調され、復号部２１２で復号される。これにより、受信データが得られる。【００４０】  次いで、位相回転の詳細について説明する。【００４１】  まず、図４に示すように、移動局ＭＳが、セルＡの基地局ＢＳＡと通信中であり、セルＡのセル境界付近に位置する場合について説明する。また、セルＡに隣接するセルが、セルＢ１つである場合について説明する。よって、図４では、移動局ＭＳにとって、基地局ＢＳＡが希望局となり、基地局ＢＳＢが干渉局となる。すなわち、基地局ＢＳＡから送信されるＯＦＤＭシンボルが希望波となり、基地局ＢＳＢから送信されるＯＦＤＭシンボルが干渉波となる。【００４２】  基地局ＢＳＡでは、図５Ａに示すように、パイロットシンボルＰ１，Ｐ２、および、同一のデータシンボルＳ１，Ｓ１’（Ｓ１’はＳ１をレピティションして作成した、Ｓ１と同一のデータシンボル：以下同様）に対し、制御局ＲＮＣから指示された位相回転角度（φ１，φ２）の位相回転を与える。このとき、同一のサブキャリアｆ１に異なる時刻ｔ１，ｔ２で割り当てられるパイロットシンボルＰ１とデータシンボルＳ１とに対しては、同一の角度φ１の位相回転を与える。同様に、同一のサブキャリアｆ２に異なる時刻ｔ１，ｔ２で割り当てられるパイロットシンボルＰ２とデータシンボルＳ１’とに対しては、同一の角度φ２の位相回転を与える。よって、パイロットシンボルＰ１とＰ２との間の位相回転差、および、データシンボルＳ１とＳ１’との間の位相回転差は共に、φＡ＝φ２−φ１となる。【００４３】  一方、基地局ＢＳＢでは、図５Ｂに示すように、パイロットシンボルＰ１，Ｐ２、および、レピティションにより作成した同一のデータシンボルＩ１，Ｉ１’に対し、制御局ＲＮＣから指示された位相回転角度（φ１，φ３）の位相回転を与える。なお、φ２≠φ３である。このとき、同一のサブキャリアｆ１に異なる時刻ｔ１，ｔ２で割り当てられるパイロットシンボルＰ１とデータシンボルＩ１とに対しては、同一の角度φ１の位相回転を与える。同様に、同一のサブキャリアｆ２に異なる時刻ｔ１，ｔ２で割り当てられるパイロットシンボルＰ２とデータシンボルＩ１’とに対しては、同一の角度φ３の位相回転を与える。よって、パイロットシンボルＰ１とＰ２との間の位相回転差、および、データシンボルＩ１とＩ１’との間の位相回転差は共に、φＢ＝φ３−φ１となる。【００４４】  よって、隣接セル間において、希望波の同一シンボル間（すなわち、データシンボルＳ１，Ｓ１’間）における位相回転差（φＡ）と、干渉波の同一シンボル間（すなわち、データシンボルＩ１，Ｉ１’間）における位相回転差（φＢ）とは互いに異なることになる。そして、このような位相回転が施された各シンボルを含むＯＦＤＭシンボルが、移動局ＭＳにより受信される。【００４５】  図６に、移動局ＭＳの受信シンボルを示す。時刻ｔ１でサブキャリアｆ１，ｆ２により受信されるパイロットシンボルがＲＰ１，ＲＰ２である。また、時刻ｔ２でサ��キャリアｆ１，ｆ２により受信されるデータシンボルがＲ１，Ｒ２である。データシンボルＲ１，Ｒ２にはそれぞれ、希望波のデータシンボルＳ１，Ｓ１’および干渉波のデータシンボルＩ１，Ｉ１’が含まれている。【００４６】  移動局ＭＳでは、まず、パイロットシンボルＲＰ１，ＲＰ２を用いて、サブキャリアｆ１，ｆ２のチャネル推定値ｈ１，ｈ２を求め、式（１）に示すチャネル推定値ベクトルＨを作成する。
【数１】
2006129585.tif 000002
【００４７】  次いで、移動局ＭＳでは、パイロットシンボルＲＰ１，ＲＰ２を参照シンボルとして用いて、式（２）に示す、受信信号の相互相関行列Ｒを作成する。
【数２】
2006129585.tif 000003
【００４８】  次に、移動局ＭＳでは、式（３）に従って、データシンボルＲ１，Ｒ２毎の最適なウェイトベクトルＷ（ウィナー解）を導出する。すなわち、ＭＭＳＥ基準の干渉抑圧用ウェイトｗ１，ｗ２を求める。
【数３】
2006129585.tif 000004
【００４９】  なお、相互相関行列Ｒの作成およびウェイトベクトルＷの導出は、図３に示すウェイト算出部２０９にて行われる。【００５０】  このように、移動局ＭＳでは、ウェイトベクトルＷの導出にあたり、相互相関行列Ｒの逆行列Ｒ−１を算出する必要があるが、隣接サブキャリア間の回線変動の相関性が高いことに起因して、サブキャリアｆ１での希望波と干渉波の位相差θ１と、サブキャリアｆ２での希望波と干渉波の位相差θ２とがほぼ同じ角度になる、つまり、ＲＰ１＝ＲＰ２となると、逆行列Ｒ−１を算出することができず、所謂ランク落ちが発生してしまい、ウェイトベクトルＷを導出することができない。しかし、本実施の形態では、上記のように、サブキャリアｆ１とｆ２との間の位相回転差を、基地局ＢＳＡではφＡ、基地局ＢＳＢではφＢとし、隣接サブキャリア間における位相回転差を基地局ＢＳＡと基地局ＢＳＢとで互いに異ならせているため、サブキャリアｆ１での位相差θ１とサブキャリアｆ２での位相差θ２とが同じ角度になってしまうことを防止でき、ランク落ちが発生してしまう可能性を低くすることができる。例えば、位相回転差φＡ＝２０°、φＢ＝１３０°とした場合、受信波Ｒ１，Ｒ２、希望波Ｓ１，Ｓ１’、干渉波Ｉ１，Ｉ１’の関係は、図７Ａおよび図７Ｂに示すようになり、サブキャリアｆ１での位相差θ１とサブキャリアｆ２での位相差θ２とを異ならせることができる。よって、本実施の形態によれば、ウェイトベクトルＷの導出が可能となり、その結果、マルチキャリア通信においてレピティション技術を用いる場合でも、ＭＭＳＥ合成による干渉抑圧効果を得ることができる。【００５１】  ここで、干渉抑圧効果を最大限に得るために、隣接セル間において、位相回転差の差をできる限り大きくすることが好ましい。【００５２】  例えば、上記図４に示すような２セルモデルの場合は、セルＡにおける位相回転差φＡとセルＢにおける位相回転差φＢとの差を１８０°とするのがよい。このため、例えば、上記図５Ａおよび図５Ｂに示すような隣接サブキャリアｆ１，ｆ２に割り当てられた２つの同一シンボルに対し、基地局ＢＳＡでは位相回転角度を（φ１，φ２）＝（０°，０°）とし、基地局ＢＳＢでは位相回転角度を（φ１，φ３）＝（０°，１８０°）とする。【００５３】  また、図８に示すような３セルモデルの場合は、セルＡにおける位相回転差φＡとセルＢにおける位相回転差φＢとセルＣにおける位相回転差φＣとの差を、互いに１２０°とするのがよい。【００５４】  このため、例えば、図９Ａ〜図９Ｃに示すような隣接サブキャリアｆ１，ｆ２に割り当てられた２つの同一シンボルに対し、基地局ＢＳＡでは図９Ａに示すように位相回転角度を（０°，０°）とし（すなわち、位相回転差φＡ＝０°）、基地局ＢＳＢでは図９Ｂに示すように位相回転角度を（０°，１２０°）とし（すなわち、位相回転差φＢ＝１２０°）、基地局ＢＳＣでは図９Ｃに示すように位相回転角度を（０°，−１２０°）とする（すなわち、位相回転差φＣ＝−１２０°）。【００５５】  同様に、図１０Ａ〜図１０Ｃに示すような隣接サブキャリアｆ１〜ｆ４に割り当てられた４つの同一シンボルに対し、基地局ＢＳＡでは図１０Ａに示すように位相回転角度を（０°，０°，０°���０°）とし（すなわち、位相回転差φＡ＝０°）、基地局ＢＳＢでは図１０Ｂに示すように位相回転角度を（０°，１２０°，２４０°，０°）とし（すなわち、位相回転差φＢ＝１２０°）、基地局ＢＳＣでは図１０Ｃに示すように位相回転角度を（０°，−１２０°，−２４０°，０°）とする（すなわち、位相回転差φＣ＝−１２０°）。【００５６】  このように、本実施の形態では、互いに隣接するセルの各基地局では、複数の同一シンボルに対し、隣接セル数に応じた角度の位相回転を与える。例えば、上記図４に示すような２セルモデルの場合、セルＡに対する隣接セルはセルＢの１つであり、また、上記図８に示すような３セルモデルの場合、セルＡに対する隣接セルはセルＢおよびセルＣの２つであるので、基地局ＢＳＡでは、複数の同一シンボルの各々に対し、式（４）に従って求められる角度の位相回転を与える。
位相回転角度＝ｎ×（３６０°／（隣接セル数＋１））但し、ｎは整数  …（４）【００５７】  なお、上記説明では、レピティションにより作成される複数の同一データシンボルを隣接サブキャリアに配置（周波数軸配置）する場合について説明したが、図１１に示すように、レピティションにより作成される複数の同一データシンボルＳ１，Ｓ１’を同一サブキャリアの異なる時刻に配置（時間軸配置）する場合についても、上記同様にして本発明を実施することができる。【００５８】  また、上記説明では、本発明を隣接セル間で実施する場合について説明したが、同一セル内の隣接セクタ間においても上記同様にして本発明を実施することができる。例えば、図１２に示すような３セクタモデルの場合は、上記図８に示す３セルモデルの場合と同様にして本発明を実施することができる。すなわち、上記説明において、セルＡをセクタＡ、セルＢをセクタＢ、セルＣをセクタＣと見なすことで、上記同様にして本発明を実施することができる。但し、隣接セクタ間において本発明を実施する場合は、図１２に示す基地局ＢＳでは、複数の同一シンボルに対し、１セル内のセクタ数に応じた角度の位相回転を与える。具体的には、基地局ＢＳは、複数の同一シンボルの各々に対し、式（５）に従って求められる角度の位相回転を与える。このようにすることで、隣接セクタ間において、位相回転差の差をできる限り大きくして、干渉抑圧効果を最大限に得ることができる。
位相回転角度＝ｎ×（３６０°／１セル内のセクタ数）但し、ｎは整数  …（５）【００５９】  また、希望局における位相回転差を、移動局において推定される干渉波の位相回転差に応じて可変としてもよい。例えば、上記図４に示すような２セルモデルの場合に、移動局ＭＳにおいて干渉波の位相回転差φＢを推定後、位相回転差φＢから希望波の干渉抑圧に最適な位相回転差φＡを算出し、この位相回転差φＡを希望局ＢＳＡに通知するようにしてもよい。また、干渉波の位相回転差φＢを干渉局ＢＳＢにおいて可変とする場合は、位相回転差φＢを基地局間のネットワーク経由にて希望局ＢＳＡに通知するようにしてもよい。【００６０】  また、上記説明では本発明を下り回線に適用する場合について説明したが、本発明を上り回線に適用することもできる。例えば、基地局が自セル内の２つの移動局ＭＳＡ，ＭＳＢにそれぞれ異なる位相回転角度を指示し、移動局ＭＳＡ，ＭＳＢは、基地局から指示された角度による位相回転処理を行い、送信タイミングを合わせて送信を行う。そして、基地局では、移動局ＭＳＡからのデータシンボルと移動局ＭＳＢからのデータシンボルとを、ＭＭＳＥ合成による互いの干渉抑圧によって分離する。【００６１】  （実施の形態２）
本実施の形態に係る基地局は、位相回転の角度を通知するための情報を移動局へ送信する。【００６２】  本実施の形態では、上記図１に示す制御局ＲＮＣが、セルＡの基地局ＢＳＡ（すなわち、希望局）に対し制御データＡを送信するとともに、セルＡの隣接セルであるセルＢの基地局ＢＳＢ（すなわち、干渉局）に対し制御データＢを送信する点は、実施の形態１と同じである。但し、制御データＡおよび制御データＢに、基地局ＢＳＡ固有の位相回転角度Ａおよび基地局ＢＳＢ固有の位相回転角度Ｂの双方が含まれる点において、実施の形態１と相違する。【００６３】  本実施の形態に係る基地局３００の構成を図１３に示す。本実施の形態では、図１に示す基地局ＢＳＡおよび基地局ＢＳＢは、共に図１３に示す構成を採る。図１３において、実施の形態１（図２）と同一の構成には同一符号を付し、説明を省略する。【００６４】  基地局３００において、多重部３０１は、Ｓ／Ｐ部１０４から所定数（例えば、１フレーム分）のデータシンボルが入力される度にパイロットシンボルを選択して出力し、データシンボルとパイロットシンボルとを時間多重する。さらに、多重部３０１は、図１に示す制御局ＲＮＣから受信した制御データに含まれる基地局ＢＳＡ固有の位相回転角度Ａおよび基地局ＢＳＢ固有の位相回転角度Ｂの双方を、位相回転角度の通知情報としてデータシンボルと時間多重する。この処理により、基地局３００は、移動局に対して、位相回転の角度を通知するための情報を送信することができる。この通知情報の送信は、制御チャネルを用いて行われる。【００６５】  一方、本実施の形態に係る移動局４００の構成を図１４に示す。図１４において、実施の形態１（図３）と同一の構成には同一符号を付し、説明を省略する。本実施の形態に係る移動局４００は、相互相関行列Ｒを作成せず、制御チャネルにて通知される基地局ＢＳＡ固有の回転角度Ａおよび基地局ＢＳＢ固有の位相回転角度Ｂを用いてシンボル合成を行う点において、実施の形態１と相違する。【００６６】  移動局４００において、分離部４０１は、ＦＦＴ部２０４からの入力を、パイロットシンボルと、データシンボルと、位相回転角度の通知情報とに分け、データシンボルをＰ／Ｓ部２０６に出力し、パイロットシンボルをチャネル推定部４０２に出力し、位相回転角度の通知情報を合成部４０３に出力する。【００６７】  チャネル推定部４０２は、パイロットシンボルを用いて各サブキャリアのチャネル推定値（例えば、伝搬路変動レベル）を求め、合成部４０３に出力する。【００６８】  合成部４０３での処理は、以下のようになる。【００６９】  まず、図１５Ａに示す受信波Ｒ１（上記図６に示す受信シンボルＲ１に該当）に対して、サブキャリアｆ１のチャネル推定値ｈ１を用いて位相補償を行う。位相補償後の受信波Ｒ１を図１５Ｂに示す。【００７０】  同様に、図１６Ａに示す受信波Ｒ２（上記図６に示す受信シンボルＲ２に該当）に対して、サブキャリアｆ２のチャネル推定値ｈ２を用いて位相補償を行う。位相補償後の受信波Ｒ２を図１６Ｂに示す。さらに、位相補償後の受信波Ｒ２を、φα＝１８０°−φＢだけ位相回転させる。これによって、受信波Ｒ１における干渉成分Ｉ１（図１５Ｂ）と受信波���２における干渉成分Ｉ１’（図１６Ｃ）とは逆位相となる。【００７１】  よって、図１７Ａに示すようにして図１５Ｂに示す受信波Ｒ１と図１６Ｃに示す受信波Ｒ２とを合成することにより、干渉成分Ｉ１と干渉成分Ｉ１’とが相殺され、合成シンボルＲｃｏｍｂは希望波成分のみとなる。そして、図１７Ａに示す合成シンボルＲｃｏｍｂの位相を、（φＡ＋φα）／２だけ戻すことで、所望のシンボルを得ることができる（図１７Ｂ）。【００７２】  このようにして、本実施の形態では、相互相関行列Ｒを作成することなく干渉抑圧シンボル合成を行うことができる。【００７３】  なお、基地局はＮｏｄｅ  Ｂ、移動局はＵＥ、サブキャリアはトーン、パイロットシンボルはリファレンスシンボルと称されることがある。【００７４】  また、ＭＭＳＥ基準の干渉抑圧はＺＦ（Ｚｅｒｏ  Ｆｏｒｃｉｎｇ）による干渉抑圧と称されることがある。また、ＭＭＳＥ基準の干渉抑圧を行うための数式は上式（１）〜（３）に限られない。【００７５】  また、上記各実施の形態では、本発明をハードウェアで構成する場合を例にとって説明したが、本発明はソフトウェアで実現することも可能である。【００７６】  また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００７７】  また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。【００７８】  さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００７９】  本明細書は、２００５年５月３０日出願の特願２００５−１５７４５２に基づくものである。この内容はすべてここに含めておく。
【産業上の利用可能性】
【００８０】  本発明は、移動体通信システム等に適用することができる。
【図１】
2006129585.tif 000005
【図２】
2006129585.tif 000006
【図３】
2006129585.tif 000007
【図４】
2006129585.tif 000008
【図５Ａ】
2006129585.tif 000009
【図５Ｂ】
2006129585.tif 000010
【図６】
2006129585.tif 000011
【図７Ａ】
2006129585.tif 000012
【図７Ｂ】
2006129585.tif 000013
【図８】
2006129585.tif 000014
【図９Ａ】
2006129585.tif 000015
【図９Ｂ】
2006129585.tif 000016
【図９Ｃ】
2006129585.tif 000017
【図１０Ａ】
2006129585.tif 000018
【図１０Ｂ】
2006129585.tif 000019
【図１０Ｃ】
2006129585.tif 000020
【図１１】
2006129585.tif 000021
【図１２】
2006129585.tif 000022
【図１３】
2006129585.tif 000023
【図１４】
2006129585.tif 000024
【図１５Ａ】
2006129585.tif 000025
【図１５Ｂ】
2006129585.tif 000026
【図１６Ａ】
2006129585.tif 000027
【図１６Ｂ】
2006129585.tif 000028
【図１６Ｃ】
2006129585.tif 000029
【図１７Ａ】
2006129585.tif 000030
【図１７Ｂ】
2006129585.tif 000031
【手続補正書】
【提出日】平成18年10月2日(2006.10.2)
【手続補正１】
【補正対象書類名】特許請求の範囲
【補正対象項目名】請求の範囲
【補正方法】変更
【補正の内容】
【書類名】請求の範囲
【請求項１】  複数のサブキャリアからなるマルチキャリア信号を無線通信移動局装置へ送信する無線通信基地局装置であって、
シンボルを複製して複数の同一シンボルを作成する複製手段と、
前記複数の同一シンボルに対し位相回転を与える位相回転手段と、
位相回転後の前記複数の同一シンボルが前記複数のサブキャリアのいずれかに割り当てられた前記マルチキャリア信号を送信する送信手段と、を具備し、
前記位相回転手段は、前記複数の同一シンボル間における位相回転差を、各セルまたは各セクタの固有の位相回転差とする、
無線通信基地局装置。
【請求項２】  前記位相回転手段は、前記複数の同一シンボル間における位相回転差を、隣接セルまたは隣接セクタにおいての同一シンボル間における位相回転差と異ならせる、
請求項１記載の無線通信基地局装置。
【請求項３】  前記位相回転手段は、隣接セル数または隣接セクタ数に応じた角度の位相回転を与える、
請求項１記載の無線通信基地局装置。
【請求項４】  前記位相回転手段は、ｎ×（３６０°／（隣接セル数＋１））の角度、または、ｎ×（３６０°／１セル内のセクタ数）の角度（但し、ｎは整数）の位相回転を与える、
請求項１記載の無線通信基地局装置。
【請求項５】  前記送信手段は、さらに、位相回転の角度を通知するための情報を前記無線通信移動局装置へ送信する、
請求項１記載の無線通信基地局装置。
【請求項６】  複数のセルまたは複数のセクタの各々において、マルチキャリア信号を構成する複数のサブキャリアに割り当てられる複数の同一シンボルに対し位相回転を与える際に、前記複数の同一シンボル間における位相回転差を、各セルまたは各セクタの固有の位相回転差とする、
無線通信方法。
【請求項７】  前記固有の位相回転差を、隣接セル間または隣接セクタ間において互いに異ならせる、
請求項６記載の無線通信方法。
【請求項８】  前記複数の同一シンボルを、互いに隣接するサブキャリアに割り当てる、
請求項６記載の無線通信方法。
【手続補正書】
【提出日】平成19年3月10日(2007.3.10)
【手続補正１】
【補正対象書類名】特許請求の範囲
【補正対象項目名】全文
【補正方法】変更
【補正の内容】
【特許請求の範囲】
【請求項１】
複数のサブキャリアからなるマルチキャリア信号を無線通信移動局装置へ送信する無線通信基地局装置であって、
シンボルを複製して複数の同一シンボルを作成する複製手段と、
前記複数の同一シンボルに対し位相回転を与える位相回転手段と、
位相回転後の前記複数の同一シンボルが前記複数のサブキャリアのいずれかに割り当てられた前記マルチキャリア信号を送信する送信手段と、を具備し、
前記位相回転手段は、前記複数の同一シンボル間における位相回転差を、各セルまたは各セクタの固有の位相回転差とする、
無線通信基地局装置。
【請求項２】
前記位相回転手段は、前記複数の同一シンボル間における位相回転差を、隣接セルまたは隣接セクタにおいての同一シンボル間における位相回転差と異ならせる、
請求項１記載の無線通信基地局装置。
【請求項３】
前記位相回転手段は、隣接セル数または隣接セクタ数に応じた角度の位相回転を与える、
請求項１記載の無線通信基地局装置。
【請求項４】
前記位相回転手段は、ｎ×（３６０°／（隣接セル数＋１））の角度、または、ｎ×（３６０°／１セル内のセクタ数）の角度（但し、ｎは整数）の位相回転を与える、
請求項１記載の無線通信基地局装置。
【請求項５】
前記送信手段は、さらに、位相回転の角度を通知するための情報を前記無線通信移動局装置へ送信する、
請求項１記載の無線通信基地局装置。
【請求項６】
複数のセルまたは複数のセクタの各々において、マルチキャリア信号を構成する複数のサブキャリアに割り当てられる複数の同一シンボルに対し位相回転を与える際に、前記複数の同一シンボル間における位相回転差を、各セルまたは各セクタの固有の位相回転差とする、
無線通信方法。
【請求項７】
前記固有の位相回転差を、隣接セル間または隣接セクタ間において互いに異ならせる、
請求項６記載の無線通信方法。
【請求項８】
前記複数の同一シンボルを、互いに隣接するサブキャリアに割り当てる、
請求項６記載の無線通信方法。
【手続補正２】
【補正対象書類名】明細書
【補正対象項目名】全文
【補正方法】変更
【補正の内容】
【発明の詳細な説明】
【技術分野】
【０００１】
本発明は、マルチキャリア通信における無線通信基地局装置および無線通信方法に関する。
【背景技術】
【０００２】
近年、無線通信、特に移動体通信では、音声以外に画像やデータなどの様々な情報が伝送の対象になっている。今後は、さらに高速な伝送に対する必要性がさらに高まるであろうと予想され、高速伝送を行うために、限られた周波数資源をより効率よく利用して、高い伝送効率を実現する無線伝送技術が求められている。
【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。
【０００４】
また、ＯＦＤＭでは、マルチパスに起因する周波数選択性フェージングにより、サブキャリア毎の品質が大きく変動することがある。このような場合、フェージングの谷となる位置のサブキャリアに割り当てられた信号は、品質が悪く復調が困難となるため、復調可能となるように品質を向上させる必要がある。
【０００５】
ＯＦＤＭにおける品質を向上させるための技術として、レピティション技術と言われるものがある。レピティション技術とは、あるシンボルを複製（レピティション）して複数の同一シンボルを作成し、それら複数の同一シンボルを複数の異なるサブキャリアまたは異なる時刻に割り当てて送信する技術であり、受信側では、それらの同一シンボルを最大比合成することでダイバーシチ利得を得ることができる（例えば、非特許文献１参照）。
【非特許文献１】前田，新，岸山，佐和橋、“下りリンクブロードバンドチャネルにおけるＯＦＣＤＭとＯＦＤＭの特性比較”、電子情報通信学会、信学技報ＲＣＳ２００２−１６２、２００２年８月
【発明の開示】
【発明が解決しようとする課題】
【０００６】
ここで、セル境界付近に位置する無線通信移動局装置（以下、単に移動局という）では、隣接セルからの干渉（有色干渉）の影響が大きいため、無線通信基地局装置（以下、単に基地局という）においてレピティションされた複数の同一シンボルを最大比合成したとしても、所要品質に達しないことがある。
【０００７】
そこで、このような干渉を効果的に抑圧するために、それら複数の同一シンボルに対してＭＭＳＥ（Minimum Mean Square Error）基準による干渉抑圧シンボル合成（以下、ＭＭＳＥ合成という）を行うことが考えられる。
【０００８】
しかしながら、基地局において複数の同一シンボルを隣接する複数のサブキャリアに割り当てる場合、隣接サブキャリア間では回線変動の相関性が高いため、移動局では、隣接サブキャリア間において、希望波と干渉波の位相差がほぼ同じ角度となった受信を行うことになる。例えば、サブキャリアｆ１での希望波と干渉波の位相差θ１と、サブキャリアｆ２での希望波と干渉波の位相差θ２とがほぼ同じ角度になってしまうことがある。
【０００９】
このようにサブキャリアｆ１での位相差θ１とサブキャリアｆ２での位相差θ２とがほぼ同じ角度になってしまう場合、移動局では、ＭＭＳＥ合成に用いるウェイトを算出するための行列、すなわち、受信シンボルの相互相関行列が逆行列を持たなくなってしまい、ウェイトを算出できず、よって、ＭＭＳＥ合成を行うことができなくなってしまう。
【００１０】
本発明の目的は、マルチキャリア通信においてレピティション技術を用いる場合に、干渉抑圧シンボル合成を行うことを可能とする無線通信基地局装置および無線通信方法を提供することである。
【課題を解決するための手段】
【００１１】
本発明の基地局は、複数のサブキャリアからなるマルチキャリア信号を無線通信移動局装置へ送信する無線通信基地局装置であって、シンボルを複製して複数の同一シンボルを作成する複製手段と、前記複数の同一シンボルに対し位相回転を与える位相回転手段と、位相回転後の前記複数の同一シンボルが前記複数のサブキャリアのいずれかに割り当てられた前記マルチキャリア信号を送信する送信手段と、を具備し、前記位相回転手段は、前記複数の同一シンボル間における位相回転差を、隣接セルまたは隣接セクタにおいての同一シンボル間における位相回転差と異ならせる構成を採る。
【発明の効果】
【００１２】
本発明によれば、マルチキャリア通信においてレピティション技術を用いる場合に、移動局において干渉抑圧シンボル合成を行うことが可能になる。
【発明を実施するための最良の形態】
【００１３】
以下、本発明の実施の形態について、図面を参照して詳細に説明する。
【００１４】
（実施の形態１）
本実施の形態では、基地局は、レピティションにより作成した複数の同一シンボルに対し、隣接セルまたは隣接セクタにおいての同一シンボル間における位相回転差と異なる位相回転差による位相回転を施す。
【００１５】
まず、図１に、本実施の形態に係る移動体通信システムの構成を示す。
【００１６】
図１に示すように、無線ネットワーク制御局装置（以下、単に制御局という）ＲＮＣ（Radio Network Controller）は、セルＡの基地局ＢＳＡに対し制御データＡを送信するとともに、セルＡの隣接セルであるセルＢの基地局ＢＳＢに対し制御データＢを送信する。制御データＡには基地局ＢＳＡ固有の位相回転角度Ａが含まれ、制御データＢには基地局ＢＳＢ固有の位相回転角度Ｂが含まれる。また、位相回転角度Ａと位相回転角度Ｂとは互いに異なる。
【００１７】
基地局ＢＳＡは、レピティションにより作成した複数の同一シンボルに対し、制御局ＲＮＣから指示された位相回転角度Ａに従って位相回転を与える。同様に、基地局ＢＳＢは、レピティションにより作成した複数の同一シンボルに対し、制御局ＲＮＣから指示された位相回転角度Ｂに従って位相回転を与える。基地局ＢＳＡと基地局ＢＳＢは、互いに異なる位相回転角度Ａ，Ｂにより位相回転を施すので、複数の同一シンボル間における位相回転差は、隣接セル間において互いに異なることになる。
【００１８】
そして、基地局ＢＳＡは、位相回転を与えた送信データＡを基地局ＢＳＡのセルＡに位置する移動局ＭＳＡに送信し、基地局ＢＳＢは、位相回転を与えた送信データＢを基地局ＢＳＢのセルＢに位置する移動局ＭＳＢに送信する。セルＡとセルＢが隣接しており、移動局ＭＳＡがセルＡのセル境界付近に位置するとき、移動局ＭＳＡでは、希望波として送信データＡを受信するが、同時に、干渉波として送信データＢを受信してしまう。そこで移動局ＭＳＡは、これらのデータをＭＭＳＥ合成することで、基地局ＢＳＢからの干渉波を抑圧する。
【００１９】
次いで、図２に、本実施の形態に係る基地局１００の構成を示す。本実施の形態では、図１に示す基地局ＢＳＡおよび基地局ＢＳＢは、共に図２に示す構成を採る。
【００２０】
基地局１００において、符号化部１０１は、入力される送信データ（ビット列）に対して符号化処理を行い、変調部１０２は、符号化後の送信データに対してＱＰＳＫや１６ＱＡＭ等の変調方式で変調処理を行ってデータシンボルを生成する。
【００２１】
レピティション部１０３は、変調部１０２から入力される各データシンボルを複製（レピティション）して複数の同一データシンボルを作成し、Ｓ／Ｐ部（シリアル／パラレル変換部）１０４に出力する。以下の説明では、この複数の同一データシンボルを一単位としてレピティション単位という。
【００２２】
Ｓ／Ｐ部１０４は、レピティション部１０３から直列に入力されるデータシンボル列を並列に変換して多重部１０５に出力する。このシリアル／パラレル変換により、各データシンボルが、マルチキャリア信号を構成する複数のサブキャリアに割り当てられる。このとき、Ｓ／Ｐ部１０４は、複数の同一データシンボルを、互いに隣接するサブキャリアに割り当てる。
【００２３】
多重部１０５は、Ｓ／Ｐ部１０４から所定数（例えば、１フレーム分）のデータシンボルが入力される度にパイロットシンボルを選択して出力し、データシンボルとパイロットシンボルとを時間多重する。
【００２４】
位相回転部１０６は、設定部１０７により設定された位相回転角度に従って、多重部１０５から入力されたパイロットシンボルおよびデータシンボルに対して位相回転を与える。このとき、位相回転部１０６は、同一のサブキャリアに割り当てられるパイロットシンボルとデータシンボルに対しては、同一の角度の位相回転を与える。位相回転の詳細については後述する。位相回転後のシンボルはそれぞれＩＦＦＴ（Inverse Fast Fourier Transform）部１０８に出力される。
【００２５】
設定部１０７は、図１に示す制御局ＲＮＣから受信した制御データに含まれる各基地局毎の位相回転角度を取得し、この位相回転角度を位相回転部１０６に設定する。
【００２６】
ＩＦＦＴ部１０８は、パイロットシンボルまたはデータシンボルが割り当てられた複数のサブキャリアに対してＩＦＦＴを行ってマルチキャリア信号であるＯＦＤＭシンボルを得る。
【００２７】
ＧＩ付加部１０９は、ＯＦＤＭシンボルの後尾部分と同じ信号をＯＦＤＭシンボルの先頭に付加してＧＩ（Guard Interval）を設ける。
【００２８】
無線送信部１１０は、ＧＩ付加後のＯＦＤＭシンボルに対しＤ／Ａ変換、増幅およびアップコンバート等の送信処理を行ってアンテナ１１１から図１に示す移動局ＭＳへ送信する。
【００２９】
次いで、図３に、本実施の形態に係る移動局２００の構成を示す。図１に示す移動局ＭＳは、図３に示す構成を採る。
【００３０】
移動局２００において、アンテナ２０１を介して受信されたＯＦＤＭシンボルは、無線受信部２０２でダウンコンバート、Ａ／Ｄ変換等の受信処理が施された後、ＧＩ除去部２０３でＧＩを取り除かれて、ＦＦＴ（Fast Fourier Transform）部２０４に入力される。
【００３１】
ＦＦＴ部２０４は、ＯＦＤＭシンボルに対してＦＦＴを行って各サブキャリアに割り当てられているシンボルを取り出し、１ＯＦＤＭ分のシンボルを並列に分離部２０５に出力する。
【００３２】
分離部２０５は、ＦＦＴ部２０４から入力されるシンボルを、パイロットシンボルとデータシンボルとに分け、データシンボルをＰ／Ｓ部（パラレル／シリアル変換部）２０６に出力し、パイロットシンボルをチャネル推定部２０７に出力する。
【００３３】
Ｐ／Ｓ部２０６は、分離部２０５から並列に入力されるデータシンボル列を直列に変換してウェイト乗算部２０８に出力する。
【００３４】
チャネル推定部２０７は、パイロットシンボルを用いて各サブキャリアのチャネル推定値（例えば、伝搬路変動レベル）を求め、パイロットシンボルと共にウェイト算出部２０９に出力する。
【００３５】
ウェイト算出部２０９は、パイロットシンボルとチャネル推定値とからＭＭＳＥ基準の
干渉抑圧用ウェイトを算出してウェイト乗算部２０８に出力する。
【００３６】
ウェイト乗算部２０８は、データシンボルに干渉抑圧用ウェイトを乗算して合成部２１０に出力する。
【００３７】
合成部２１０は、干渉抑圧用ウェイトを乗算されたデータシンボルを、レピティション単位、すなわち、基地局１００でのレピティションにより作成された同一データシンボル間で合成する。これによりＭＭＳＥ合成がなされる。
【００３８】
ＭＭＳＥ合成後のシンボルは、復調部２１１で復調され、復号部２１２で復号される。これにより、受信データが得られる。
【００３９】
次いで、位相回転の詳細について説明する。
【００４０】
まず、図４に示すように、移動局ＭＳが、セルＡの基地局ＢＳＡと通信中であり、セルＡのセル境界付近に位置する場合について説明する。また、セルＡに隣接するセルが、セルＢ１つである場合について説明する。よって、図４では、移動局ＭＳにとって、基地局ＢＳＡが希望局となり、基地局ＢＳＢが干渉局となる。すなわち、基地局ＢＳＡから送信されるＯＦＤＭシンボルが希望波となり、基地局ＢＳＢから送信されるＯＦＤＭシンボルが干渉波となる。
【００４１】
基地局ＢＳＡでは、図５Ａに示すように、パイロットシンボルＰ１，Ｐ２、および、同一のデータシンボルＳ１，Ｓ１'（Ｓ１'はＳ１をレピティションして作成した、Ｓ１と同一のデータシンボル：以下同様）に対し、制御局ＲＮＣから指示された位相回転角度（φ１，φ２）の位相回転を与える。このとき、同一のサブキャリアｆ１に異なる時刻ｔ１，ｔ２で割り当てられるパイロットシンボルＰ１とデータシンボルＳ１とに対しては、同一の角度φ１の位相回転を与える。同様に、同一のサブキャリアｆ２に異なる時刻ｔ１，ｔ２で割り当てられるパイロットシンボルＰ２とデータシンボルＳ１'とに対しては、同一の角度φ２の位相回転を与える。よって、パイロットシンボルＰ１とＰ２との間の位相回転差、および、データシンボルＳ１とＳ１'との間の位相回転差は共に、φＡ＝φ２−φ１となる。
【００４２】
一方、基地局ＢＳＢでは、図５Ｂに示すように、パイロットシンボルＰ１，Ｐ２、および、レピティションにより作成した同一のデータシンボルＩ１，Ｉ１'に対し、制御局ＲＮＣから指示された位相回転角度（φ１，φ３）の位相回転を与える。なお、φ２≠φ３である。このとき、同一のサブキャリアｆ１に異なる時刻ｔ１，ｔ２で割り当てられるパイロットシンボルＰ１とデータシンボルＩ１とに対しては、同一の角度φ１の位相回転を与える。同様に、同一のサブキャリアｆ２に異なる時刻ｔ１，ｔ２で割り当てられるパイロットシンボルＰ２とデータシンボルＩ１'とに対しては、同一の角度φ３の位相回転を与える。よって、パイロットシンボルＰ１とＰ２との間の位相回転差、および、データシンボルＩ１とＩ１'との間の位相回転差は共に、φＢ＝φ３−φ１となる。
【００４３】
よって、隣接セル間において、希望波の同一シンボル間（すなわち、データシンボルＳ１，Ｓ１'間）における位相回転差（φＡ）と、干渉波の同一シンボル間（すなわち、データシンボルＩ１，Ｉ１'間）における位相回転差（φＢ）とは互いに異なることになる。そして、このような位相回転が施された各シンボルを含むＯＦＤＭシンボルが、移動局ＭＳにより受信される。
【００４４】
図６に、移動局ＭＳの受信シンボルを示す。時刻ｔ１でサブキャリアｆ１，ｆ２により受信されるパイロットシンボルがＲＰ１，ＲＰ２である。また、時刻ｔ２でサブキャリアｆ１，ｆ２により受信されるデータシンボルがＲ１，Ｒ２である。データシンボルＲ１，Ｒ２にはそれぞれ、希望波のデータシンボルＳ１，Ｓ１'および干渉波のデータシンボルＩ１，Ｉ１'が含まれている。
【００４５】
移動局ＭＳでは、まず、パイロットシンボルＲＰ１，ＲＰ２を用いて、サブキャリアｆ１，ｆ２のチャネル推定値ｈ１，ｈ２を求め、式（１）に示すチャネル推定値ベクトルＨを作成する。
【数１】
2006129585.tif 000032
【００４６】
次いで、移動局ＭＳでは、パイロットシンボルＲＰ１，ＲＰ２を参照シンボルとして用いて、式（２）に示す、受信信号の相互相関行列Ｒを作成する。
【数２】
2006129585.tif 000033
【００４７】
次に、移動局ＭＳでは、式（３）に従って、データシンボルＲ１，Ｒ２毎の最適なウェイトベクトルＷ（ウィナー解）を導出する。すなわち、ＭＭＳＥ基準の干渉抑圧用ウェイトｗ１，ｗ２を求める。
【数３】
2006129585.tif 000034
【００４８】
なお、相互相関行列Ｒの作成およびウェイトベクトルＷの導出は、図３に示すウェイト算出部２０９にて行われる。
【００４９】
このように、移動局ＭＳでは、ウェイトベクトルＷの導出にあたり、相互相関行列Ｒの逆行列Ｒ−１を算出する必要があるが、隣接サブキャリア間の回線変動の相関性が高いことに起因して、サブキャリアｆ１での希望波と干渉波の位相差θ１と、サブキャリアｆ２での希望波と干渉波の位相差θ２とがほぼ同じ角度になる、つまり、ＲＰ１＝ＲＰ２となると、逆行列Ｒ−１を算出することができず、所謂ランク落ちが発生してしまい、ウェイトベクトルＷを導出することができない。しかし、本実施の形態では、上記のように、サブキャリアｆ１とｆ２との間の位相回転差を、基地局ＢＳＡではφＡ、基地局ＢＳＢではφＢとし、隣接サブキャリア間における位相回転差を基地局ＢＳＡと基地局ＢＳＢとで互いに異ならせているため、サブキャリアｆ１での位相差θ１とサブキャリアｆ２での位相差θ２とが同じ角度になってしまうことを防止でき、ランク落ちが発生してしまう可能性を低くすることができる。例えば、位相回転差φＡ＝２０°、φＢ＝１３０°とした場合、受信波Ｒ１，Ｒ２、希望波Ｓ１，Ｓ１'、干渉波Ｉ１，Ｉ１'の関係は、図７Ａおよび図７Ｂに示すようになり、サブキャリアｆ１での位相差θ１とサブキャリアｆ２での位相差θ２とを異ならせることができる。よって、本実施の形態によれば、ウェイトベクトルＷの導出が可能となり、その結果、マルチキャリア通信においてレピティション技術を用いる場合でも、ＭＭＳＥ合成による干渉抑圧効果を得ることができる。
【００５０】
ここで、干渉抑圧効果を最大限に得るために、隣接セル間において、位相回転差の差をできる限り大きくすることが好ましい。
【００５１】
例えば、上記図４に示すような２セルモデルの場合は、セルＡにおける位相回転差φＡとセルＢにおける位相回転差φＢとの差を１８０°とするのがよい。このため、例えば、
上記図５Ａおよび図５Ｂに示すような隣接サブキャリアｆ１，ｆ２に割り当てられた２つの同一シンボルに対し、基地局ＢＳＡでは位相回転角度を（φ１，φ２）＝（０°，０°）とし、基地局ＢＳＢでは位相回転角度を（φ１，φ３）＝（０°，１８０°）とする。
【００５２】
また、図８に示すような３セルモデルの場合は、セルＡにおける位相回転差φＡとセルＢにおける位相回転差φＢとセルＣにおける位相回転差φＣとの差を、互いに１２０°とするのがよい。
【００５３】
このため、例えば、図９Ａ〜図９Ｃに示すような隣接サブキャリアｆ１，ｆ２に割り当てられた２つの同一シンボルに対し、基地局ＢＳＡでは図９Ａに示すように位相回転角度を（０°，０°）とし（すなわち、位相回転差φＡ＝０°）、基地局ＢＳＢでは図９Ｂに示すように位相回転角度を（０°，１２０°）とし（すなわち、位相回転差φＢ＝１２０°）、基地局ＢＳＣでは図９Ｃに示すように位相回転角度を（０°，−１２０°）とする（すなわち、位相回転差φＣ＝−１２０°）。
【００５４】
同様に、図１０Ａ〜図１０Ｃに示すような隣接サブキャリアｆ１〜ｆ４に割り当てられた４つの同一シンボルに対し、基地局ＢＳＡでは図１０Ａに示すように位相回転角度を（０°，０°，０°，０°）とし（すなわち、位相回転差φＡ＝０°）、基地局ＢＳＢでは図１０Ｂに示すように位相回転角度を（０°，１２０°，２４０°，０°）とし（すなわち、位相回転差φＢ＝１２０°）、基地局ＢＳＣでは図１０Ｃに示すように位相回転角度を（０°，−１２０°，−２４０°，０°）とする（すなわち、位相回転差φＣ＝−１２０°）。
【００５５】
このように、本実施の形態では、互いに隣接するセルの各基地局では、複数の同一シンボルに対し、隣接セル数に応じた角度の位相回転を与える。例えば、上記図４に示すような２セルモデルの場合、セルＡに対する隣接セルはセルＢの１つであり、また、上記図８に示すような３セルモデルの場合、セルＡに対する隣接セルはセルＢおよびセルＣの２つであるので、基地局ＢＳＡでは、複数の同一シンボルの各々に対し、式（４）に従って求められる角度の位相回転を与える。
位相回転角度＝ｎ×（３６０°／（隣接セル数＋１））  但し、ｎは整数  …（４）
【００５６】
なお、上記説明では、レピティションにより作成される複数の同一データシンボルを隣接サブキャリアに配置（周波数軸配置）する場合について説明したが、図１１に示すように、レピティションにより作成される複数の同一データシンボルＳ１，Ｓ１'を同一サブキャリアの異なる時刻に配置（時間軸配置）する場合についても、上記同様にして本発明を実施することができる。
【００５７】
また、上記説明では、本発明を隣接セル間で実施する場合について説明したが、同一セル内の隣接セクタ間においても上記同様にして本発明を実施することができる。例えば、図１２に示すような３セクタモデルの場合は、上記図８に示す３セルモデルの場合と同様にして本発明を実施することができる。すなわち、上記説明において、セルＡをセクタＡ、セルＢをセクタＢ、セルＣをセクタＣと見なすことで、上記同様にして本発明を実施することができる。但し、隣接セクタ間において本発明を実施する場合は、図１２に示す基地局ＢＳでは、複数の同一シンボルに対し、１セル内のセクタ数に応じた角度の位相回転を与える。具体的には、基地局ＢＳは、複数の同一シンボルの各々に対し、式（５）に従って求められる角度の位相回転を与える。このようにすることで、隣接セクタ間において、位相回転差の差をできる限り大きくして、干渉抑圧効果を最大限に得ることができる。
位相回転角度＝ｎ×（３６０°／１セル内のセクタ数）  但し、ｎは整数  …（５）
【００５８】
また、希望局における位相回転差を、移動局において推定される干渉波の位相回転差に応じて可変としてもよい。例えば、上記図４に示すような２セルモデルの場合に、移動局ＭＳにおいて干渉波の位相回転差φＢを推定後、位相回転差φＢから希望波の干渉抑圧に最適な位相回転差φＡを算出し、この位相回転差φＡを希望局ＢＳＡに通知するようにしてもよい。また、干渉波の位相回転差φＢを干渉局ＢＳＢにおいて可変とする場合は、位相回転差φＢを基地局間のネットワーク経由にて希望局ＢＳＡに通知するようにしてもよい。
【００５９】
また、上記説明では本発明を下り回線に適用する場合について説明したが、本発明を上り回線に適用することもできる。例えば、基地局が自セル内の２つの移動局ＭＳＡ，ＭＳＢにそれぞれ異なる位相回転角度を指示し、移動局ＭＳＡ，ＭＳＢは、基地局から指示された角度による位相回転処理を行い、送信タイミングを合わせて送信を行う。そして、基地局では、移動局ＭＳＡからのデータシンボルと移動局ＭＳＢからのデータシンボルとを、ＭＭＳＥ合成による互いの干渉抑圧によって分離する。
【００６０】
（実施の形態２）
本実施の形態に係る基地局は、位相回転の角度を通知するための情報を移動局へ送信する。
【００６１】
本実施の形態では、上記図１に示す制御局ＲＮＣが、セルＡの基地局ＢＳＡ（すなわち、希望局）に対し制御データＡを送信するとともに、セルＡの隣接セルであるセルＢの基地局ＢＳＢ（すなわち、干渉局）に対し制御データＢを送信する点は、実施の形態１と同じである。但し、制御データＡおよび制御データＢに、基地局ＢＳＡ固有の位相回転角度Ａおよび基地局ＢＳＢ固有の位相回転角度Ｂの双方が含まれる点において、実施の形態１と相違する。
【００６２】
本実施の形態に係る基地局３００の構成を図１３に示す。本実施の形態では、図１に示す基地局ＢＳＡおよび基地局ＢＳＢは、共に図１３に示す構成を採る。図１３において、実施の形態１（図２）と同一の構成には同一符号を付し、説明を省略する。
【００６３】
基地局３００において、多重部３０１は、Ｓ／Ｐ部１０４から所定数（例えば、１フレーム分）のデータシンボルが入力される度にパイロットシンボルを選択して出力し、データシンボルとパイロットシンボルとを時間多重する。さらに、多重部３０１は、図１に示す制御局ＲＮＣから受信した制御データに含まれる基地局ＢＳＡ固有の位相回転角度Ａおよび基地局ＢＳＢ固有の位相回転角度Ｂの双方を、位相回転角度の通知情報としてデータシンボルと時間多重する。この処理により、基地局３００は、移動局に対して、位相回転の角度を通知するための情報を送信することができる。この通知情報の送信は、制御チャネルを用いて行われる。
【００６４】
一方、本実施の形態に係る移動局４００の構成を図１４に示す。図１４において、実施の形態１（図３）と同一の構成には同一符号を付し、説明を省略する。本実施の形態に係る移動局４００は、相互相関行列Ｒを作成せず、制御チャネルにて通知される基地局ＢＳＡ固有の回転角度Ａおよび基地局ＢＳＢ固有の位相回転角度Ｂを用いてシンボル合成を行う点において、実施の形態１と相違する。
【００６５】
移動局４００において、分離部４０１は、ＦＦＴ部２０４からの入力を、パイロットシンボルと、データシンボルと、位相回転角度の通知情報とに分け、データシンボルをＰ／Ｓ部２０６に出力し、パイロットシンボルをチャネル推定部４０２に出力し、位相回転角度の通知情報を合成部４０３に出力する。
【００６６】
チャネル推定部４０２は、パイロットシンボルを用いて各サブキャリアのチャネル推定値（例えば、伝搬路変動レベル）を求め、合成部４０３に出力する。
【００６７】
合成部４０３での処理は、以下のようになる。
【００６８】
まず、図１５Ａに示す受信波Ｒ１（上記図６に示す受信シンボルＲ１に該当）に対して、サブキャリアｆ１のチャネル推定値ｈ１を用いて位相補償を行う。位相補償後の受信波Ｒ１を図１５Ｂに示す。
【００６９】
同様に、図１６Ａに示す受信波Ｒ２（上記図６に示す受信シンボルＲ２に該当）に対して、サブキャリアｆ２のチャネル推定値ｈ２を用いて位相補償を行う。位相補償後の受信波Ｒ２を図１６Ｂに示す。さらに、位相補償後の受信波Ｒ２を、φα＝１８０°−φＢだけ位相回転させる。これによって、受信波Ｒ１における干渉成分Ｉ１（図１５Ｂ）と受信波Ｒ２における干渉成分Ｉ１'（図１６Ｃ）とは逆位相となる。
【００７０】
よって、図１７Ａに示すようにして図１５Ｂに示す受信波Ｒ１と図１６Ｃに示す受信波Ｒ２とを合成することにより、干渉成分Ｉ１と干渉成分Ｉ１'とが相殺され、合成シンボルＲｃｏｍｂは希望波成分のみとなる。そして、図１７Ａに示す合成シンボルＲｃｏｍｂの位相を、（φＡ＋φα）／２だけ戻すことで、所望のシンボルを得ることができる（図１７Ｂ）。
【００７１】
このようにして、本実施の形態では、相互相関行列Ｒを作成することなく干渉抑圧シンボル合成を行うことができる。
【００７２】
なお、基地局はNode B、移動局はUE、サブキャリアはトーン、パイロットシンボルはリファレンスシンボルと称されることがある。
【００７３】
また、ＭＭＳＥ基準の干渉抑圧はＺＦ（Zero Forcing）による干渉抑圧と称されることがある。また、ＭＭＳＥ基準の干渉抑圧を行うための数式は上式（１）〜（３）に限られない。
【００７４】
また、上記各実施の形態では、本発明をハードウェアで構成する場合を例にとって説明したが、本発明はソフトウェアで実現することも可能である。
【００７５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００７７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００７８】
本明細書は、２００５年５月３０日出願の特願２００５−１５７４５２に基づくものである。この内容はすべてここに含めておく。
【産業上の利用可能性】
【００７９】
本発明は、移動体通信システム等に適用することができる。
【図面の簡単な説明】
【００８０】
【図１】本発明の実施の形態１に係る移動体通信システムの構成図
【図２】本発明の実施の形態１に係る基地局の構成を示すブロック図
【図３】本発明の実施の形態１に係る移動局の構成を示すブロック図
【図４】本発明の実施の形態１に係るセル配置の一例を示す図（２セルモデル）
【図５Ａ】本発明の実施の形態１に係る位相回転の説明図（基地局ＢＳＡ）
【図５Ｂ】本発明の実施の形態１に係る位相回転の説明図（基地局ＢＳＢ）
【図６】本発明の実施の形態１に係る受信シンボルを示す図（移動局ＭＳ）
【図７Ａ】本発明の実施の形態１に係る受信波、希望波、干渉波の関係を示す図
【図７Ｂ】本発明の実施の形態１に係る受信波、希望波、干渉波の関係を示す図
【図８】本発明の実施の形態１に係るセル配置の一例を示す図（３セルモデル）
【図９Ａ】本発明の実施の形態１に係る位相回転の説明図（基地局ＢＳＡ）
【図９Ｂ】本発明の実施の形態１に係る位相回転の説明図（基地局ＢＳＢ）
【図９Ｃ】本発明の実施の形態１に係る位相回転の説明図（基地局ＢＳＣ）
【図１０Ａ】本発明の実施の形態１に係る位相回転の説明図（基地局ＢＳＡ）
【図１０Ｂ】本発明の実施の形態１に係る位相回転の説明図（基地局ＢＳＢ）
【図１０Ｃ】本発明の実施の形態１に係る位相回転の説明図（基地局ＢＳＣ）
【図１１】本発明の実施の形態１に係る位相回転の説明図（時間軸配置）
【図１２】本発明の実施の形態１に係るセクタ配置の一例を示す図（３セクタモデル）
【図１３】本発明の実施の形態２に係る基地局の構成を示すブロック図
【図１４】本発明の実施の形態２に係る移動局の構成を示すブロック図
【図１５Ａ】本発明の実施の形態２に係る移動局の合成部の動作説明図
【図１５Ｂ】本発明の実施の形態２に係る移動局の合成部の動作説明図
【図１６Ａ】本発明の実施の形態２に係る移動局の合成部の動作説明図
【図１６Ｂ】本発明の実施の形態２に係る移動局の合成部の動作説明図
【図１６Ｃ】本発明の実施の形態２に係る移動局の合成部の動作説明図
【図１７Ａ】本発明の実施の形態２に係る移動局の合成部の動作説明図
【図１７Ｂ】本発明の実施の形態２に係る移動局の合成部の動作説明図
【手続補正３】
【補正対象書類名】図面
【補正対象項目名】全図
【補正方法】変更
【補正の内容】
【図１】
2006129585.tif 000035
【図２】
2006129585.tif 000036
【図３】
2006129585.tif 000037
【図４】
2006129585.tif 000038
【図５Ａ】
2006129585.tif 000039
【図５Ｂ】
2006129585.tif 000040
【図６】
2006129585.tif 000041
【図７Ａ】
2006129585.tif 000042
【図７Ｂ】
2006129585.tif 000043
【図８】
2006129585.tif 000044
【図９Ａ】
2006129585.tif 000045
【図９Ｂ】
2006129585.tif 000046
【図９Ｃ】
2006129585.tif 000047
【図１０Ａ】
2006129585.tif 000048
【図１０Ｂ】
2006129585.tif 000049
【図１０Ｃ】
2006129585.tif 000050
【図１１】
2006129585.tif 000051
【図１２】
2006129585.tif 000052
【図１３】
2006129585.tif 000053
【図１４】
2006129585.tif 000054
【図１５Ａ】
2006129585.tif 000055
【図１５Ｂ】
2006129585.tif 000056
【図１６Ａ】
2006129585.tif 000057
【図１６Ｂ】
2006129585.tif 000058
【図１６Ｃ】
2006129585.tif 000059
【図１７Ａ】
2006129585.tif 000060
【図１７Ｂ】
2006129585.tif 000061
【国際調査報告】
2006129585.tif 000062
2006129585.tif 000063
2006129585.tif 000064
2006129585.tif 000065